【手続補正書】
【提出日】平成30年6月8日(2018.6.8)
【手続補正１】
【補正対象書類名】明細書
【補正対象項目名】発明の名称
【補正方法】変更
【補正の内容】
【発明の名称】表示制御装置、その制御方法、およびプログラム
【手続補正２】
【補正対象書類名】明細書
【補正対象項目名】０００１
【補正方法】変更
【補正の内容】
【０００１】
本発明は、表示制御装置、その制御方法、およびプログラムに関し、特に、ポインティングデバイスを用いて位置指定対象を位置指定する際の操作手法に関する。
【手続補正３】
【補正対象書類名】明細書
【補正対象項目名】０００９
【補正方法】変更
【補正の内容】
【０００９】
従って、本発明の目的は、位置指定対象である表示オブジェクトの大きさに拘わらず、位置指定対象に対する位置の指定操作をより簡単にかつ正確に行うことのできる表示制御装置、その制御方法、およびプログラムを提供することにある。
【手続補正４】
【補正対象書類名】明細書
【補正対象項目名】００１０
【補正方法】変更
【補正の内容】
【００１０】
上記の目的を達成するため、本発明による表示制御装置は、表示画面に対する位置の入力を受け付ける受付手段と、前記表示画面に、位置指定対象と該位置指定対象における位置を指定する指標とを表示するように制御する制御手段と、前記位置指定対象の表示サイズが所定のサイズより大きい場合に、前記受付手段によって前記表示画面に対する前記位置の入力を受け付けると、前記位置指定対象の表示位置を固定した状態で、当該入力された位置に基づいて前記指標の位置を変更し、前記位置指定対象の表示サイズが前記所定のサイズ未満である場合に、前記受付手段によって前記表示画面に対する前記位置の入力を受け付けると、前記指標の表示位置を固定した状態で、当該入力された位置に基づいて前記位置指定対象の表示位置を変更するように制御する位置変更手段と、前記位置変更手段によって変更された前記位置指定対象に対する前記指標の位置に応じた処理を行う処理手段と、を有することを特徴とする。
【手続補正５】
【補正対象書類名】特許請求の範囲
【補正対象項目名】全文
【補正方法】変更
【補正の内容】
【特許請求の範囲】
【請求項１】
表示画面に対する位置の入力を受け付ける受付手段と、
前記表示画面に、位置指定対象と該位置指定対象における位置を指定する指標とを表示するように制御する制御手段と、
前記位置指定対象の表示サイズが所定のサイズより大きい場合に、前記受付手段によって前記表示画面に対する前記位置の入力を受け付けると、前記位置指定対象の表示位置を固定した状態で、当該入力された位置に基づいて前記指標の位置を変更し、前記位置指定対象の表示サイズが前記所定のサイズ未満である場合に、前記受付手段によって前記表示画面に対する前記位置の入力を受け付けると、前記指標の表示位置を固定した状態で、当該入力された位置に基づいて前記位置指定対象の表示位置を変更するように制御する位置変更手段と、
前記位置変更手段によって変更された前記位置指定対象に対する前記指標の位置に応じた処理を行う処理手段と、
を有することを特徴とする表示制御装置。
【請求項２】
表示画面に対する位置の入力を受け付ける受付手段と、
前記表示画面に、位置指定対象と該位置指定対象における位置を指定する指標とを表示するように制御する制御手段と、
前記受付手段によって受け付けた位置の入力状態が所定の状態である場合には、前記位置指定対象の表示位置を固定した状態で、当該入力された位置に基づいて前記指標の位置を変更し、前記受付手段によって受け付けた位置の入力状態が前記所定の状態ではない場合には、前記指標の表示位置を固定した状態で、当該入力された位置に基づいて前記位置指定対象の表示位置を変更するように制御する位置変更手段と、
前記位置変更手段によって変更された前記位置指定対象に対する前記指標の位置に応じた処理を行う処理手段と、
を有することを特徴とする表示制御装置。
【請求項３】
前記位置変更手段は、前記受付手段によって受け付けた位置の入力面積が所定の面積より小さい場合には、前記位置指定対象の表示位置を固定した状態で、当該入力された位置に基づいて前記指標の位置を変更し、前記受付手段によって受け付けた位置の入力面積が前記所定の面積より大きい場合には、前記指標の表示位置を固定した状態で、当該入力された位置に基づいて前記位置指定対象の表示位置を変更するように制御することを特徴とする請求項２に記載の表示制御装置。
【請求項４】
前記位置変更手段は、前記位置指定対象の表示サイズに対する前記受付手段によって受け付けた位置の入力面積の割合が所定の割合より小さい場合には、前記位置指定対象の表示位置を固定した状態で、当該入力された位置に基づいて前記指標の位置を変更し、前記位置指定対象の表示サイズに対する前記受付手段によって受け付けた位置の入力面積の割合が前記所定の割合よりも大きい場合には、前記指標の表示位置を固定した状態で、当該入力された位置に基づいて前記位置指定対象の表示位置を変更するように制御することを特徴とする請求項２に記載の表示制御装置。
【請求項５】
前記表示画面に対して予め定められた操作があると、前記位置指定対象の表示サイズを変更するサイズ変更手段を有することを特徴とする請求項１に記載の表示制御装置。
【請求項６】
前記予め定められた操作はユーザーによって行われる操作であることを特徴とする請求項５に記載の表示制御装置。
【請求項７】
前記位置指定対象は、複数の升目を有するグリッドであることを特徴とする請求項１に記載の表示制御装置。
【請求項８】
前記グリッドはホワイトバランスの設定を行うためのグリッドであり、前記処理手段は前記指標の位置に応じたホワイトバランス設定値に応じてホワイトバランス処理を行うことを特徴とする請求項７に記載の表示制御装置。
【請求項９】
前記位置指定対象は画像、図形、文書、および地図のいずれかであることを特徴とする請求項１に記載の表示制御装置。
【請求項１０】
前記指標は、範囲を指定する際の開始点、終了点、および描画ポイントのいずれかを指定するための指標であることを特徴とする請求項１に記載の表示制御装置。
【請求項１１】
前記位置指定対象は地図であり、前記指標は、前記地図においてルート案内の開始点および到着点の少なくとも１つを指定するための指標であることを特徴とする請求項１０に記載の表示制御装置。
【請求項１２】
前記位置変更手段は、前記指標の位置の変更又は前記位置指定対象の位置の変更の際にその旨のガイドを行うことを特徴とする請求項１に記載の表示制御装置。
【請求項１３】
前記受付手段としてタッチパネル、または前記表示画面を移動するポインタを操作するためのマウスが用いられることを特徴とする請求項１に記載の表示制御装置。
【請求項１４】
さらに撮像手段およびディスプレイを有する撮像装置であることを特徴とする請求項１に記載の表示制御装置。
【請求項１５】
表示画面に位置指定対象と該位置指定対象における位置を指定する指標とを表示する表示制御装置の制御方法であって、
前記表示画面に対する位置の入力を受け付ける受付ステップと、
前記表示画面に、前記位置指定対象と該位置指定対象における位置を指定する指標とを表示するように制御する制御ステップと、
前記位置指定対象の表示サイズが所定のサイズより大きい場合に、前記受付ステップで前記表示画面に対する前記位置の入力を受け付けると、前記位置指定対象の表示位置を固定した状態で、当該入力された位置に基づいて前記指標の位置を変更し、前記位置指定対象の表示サイズが前記所定のサイズ未満である場合に、前記受付ステップで前記表示画面に対する前記位置の入力を受け付けると、前記指標の表示位置を固定した状態で、当該入力された位置に基づいて前記位置指定対象の表示位置を変更するように制御する位置変更ステップと、
前記位置変更ステップで変更された前記位置指定対象に対する前記指標の位置に応じた処理を行う処理ステップと、
を有することを特徴とする制御方法。
【請求項１６】
表示画面に位置指定対象と該位置指定対象における位置を指定する指標とを表示する表示制御装置の制御方法であって、
前記表示画面に対する位置の入力を受け付ける受付ステップと、
前記表示画面に、前記位置指定対象と該位置指定対象における位置を指定する指標とを表示するように制御する制御ステップと、
前記受付ステップで受け付けた位置の入力状態が所定の状態である場合には、前記位置指定対象の表示位置を固定した状態で、当該入力された位置に基づいて前記指標の位置を変更し、前記受付ステップで受け付けた位置の入力状態が前記所定の状態ではない場合には、前記指標の表示位置を固定した状態で、当該入力された位置に基づいて前記位置指定対象の表示位置を変更するように制御する位置変更ステップと、
前記位置変更ステップで変更された前記位置指定対象に対する前記指標の位置に応じた処理を行う処理ステップと、
を有することを特徴とする制御方法。
【請求項１７】
表示画面に位置指定対象と該位置指定対象における位置を指定する指標とを表示する表示制御装置で用いられるプログラムであって、
前記表示制御装置が備えるコンピュータに、
前記表示画面に対する位置の入力を受け付ける受付ステップと、
前記表示画面に、前記位置指定対象と該位置指定対象における位置を指定する指標とを表示するように制御する制御ステップと、
前記位置指定対象の表示サイズが所定のサイズより大きい場合に、前記受付ステップで前記表示画面に対する前記位置の入力を受け付けると、前記位置指定対象の表示位置を固定した状態で、当該入力された位置に基づいて前記指標の位置を変更し、前記位置指定対象の表示サイズが前記所定のサイズ未満である場合に、前記受付ステップで前記表示画面に対する前記位置の入力を受け付けると、前記指標の表示位置を固定した状態で、当該入力された位置に基づいて前記位置指定対象の表示位置を変更するように制御する位置変更ステップと、
前記位置変更ステップで変更された前記位置指定対象に対する前記指標の位置に応じた処理を行う処理ステップと、
を実行させることを特徴とするプログラム。
【請求項１８】
表示画面に位置指定対象と該位置指定対象における位置を指定する指標とを表示する表示制御装置で用いられるプログラムであって、
前記表示制御装置が備えるコンピュータに、
前記表示画面に対する位置の入力を受け付ける受付ステップと、
前記表示画面に、前記位置指定対象と該位置指定対象における位置を指定する指標とを表示するように制御する制御ステップと、
前記受付ステップで受け付けた位置の入力状態が所定の状態である場合には、前記位置指定対象の表示位置を固定した状態で、当該入力された位置に基づいて前記指標の位置を変更し、前記受付ステップで受け付けた位置の入力状態が前記所定の状態ではない場合には、前記指標の表示位置を固定した状態で、当該入力された位置に基づいて前記位置指定対象の表示位置を変更するように制御する位置変更ステップと、
前記位置変更ステップで変更された前記位置指定対象に対する前記指標の位置に応じた処理を行う処理ステップと、
を実行させることを特徴とするプログラム。